(57)【特許請求の範囲】
【請求項１】
ハウジングと、
前記ハウジングに設けられ、他のコネクタと電気的に接続されるコンタクトと、
前記ハウジングに設けられ、前記他のコネクタとの接続状態を保持するロック部と、
を有し、
前記ロック部は、
平板状の形状を有し、前記平板の面の法線方向が前記他のコネクタとのロック方向を向くように、かつ前記平板の面が板厚方向で前記他のコネクタのロック部を係止するように設けられたロック板と、
前記ロック板に設けられ、前記ハウジングと一体になるように形成された保持部と、
少なくとも前記ハウジングの上面と側面の一部を開放するように前記ハウジングに設けられた溝部と、
を有し、
前記ロック部は、前記ロック板が前記溝部の上面のみを塞ぐように設けられ、
前記保持部は、前記ロック板の互いに対向する側部に設けられた一対の部材であり、かつ前記溝部の互いに対向する面を介して前記ハウジングにインサート成形されることにより前記ハウジングと一体化しており、
さらに、前記保持部は、
前記ハウジングの側面側の、前記保持部と前記ロック板の端面の接続部分が段差なく一致していることを特徴とするコネクタ。
【請求項２】
前記保持部は、前記ロック方向と交差する向きに形成された補強部を有することを特徴とする請求項１に記載のコネクタ。
【請求項３】
前記補強部は、前記ハウジングの側面から前記溝部の奥側に向けて突出した形状を有することを特徴とする請求項２記載のコネクタ。
【請求項４】
前記補強部は、凹形状または凸形状を有することを特徴とする請求項２記載のコネクタ。
【請求項５】
前記ロック板は、前記ハウジングの側面側の端面の少なくとも上面側に面取部を有することを特徴とする請求項１〜４のいずれか一項に記載のコネクタ。
【請求項６】
前記ロック部は、前記ロック部を接続対象物に接続する端子部を有することを特徴とする請求項１〜５のいずれか一項に記載のコネクタ。
【請求項７】
前記端子部は、前記ロック板に設けられた中間部と、前記中間部の端部に設けられ、前記接続対象物に接続される先端部と、を有し、
前記中間部は前記ハウジングにインサート成形されていることを特徴とする請求項６記載のコネクタ。
【請求項８】
前記端子部は、前記保持部を介して前記ロック板に設けられていることを特徴とする請求項６記載のコネクタ。
【請求項９】
前記接続対象物は基板であることを特徴とする請求項６〜８のいずれか一項に記載のコネクタ。
【発明の詳細な説明】
【技術分野】
【０００１】
本発明はコネクタに関する。
【背景技術】
【０００２】
従来、基板の面同士を接続するコネクタとして、基板コネクタ（基板対基板コネクタ）が用いられてきた。
【０００３】
基板コネクタは、プラグコネクタと、レセプタクルコネクタとが１つの組になっており、レセプタクルコネクタにプラグコネクタが挿入され、互いのコンタクト部材が接触することにより、電気的に接続される。
【０００４】
プラグコネクタと、レセプタクルコネクタは、絶縁性のハウジングと、ハウジングに保持された導電性のコンタクト部材を有しているが、さらに、ハウジングの補強と互いのコネクタの接続状態の保持（ロック）を目的として、ロック部材を設ける場合がある。
【０００５】
このロック部材は、一方のコネクタにロック用の鉤部を備え、他方のコネクタは、鉤部と噛み合う凹部を有し、凹部に鉤部を挿入することによりロックするのが一般的である。
【０００６】
例えば特許文献１では、図２６に示すように、プラグコネクタのコネクタハウジング２
に板状の補強金具４が設けられており、補強金具４の鉤状の係合部４２を、レセプタクルコネクタのコネクタハウジング６に固定された補強金具８の凹形状の係合部８１に挿入することにより、補強金具４と補強金具８をロックしている（特許文献１）。
【０００７】
なお、特許文献１では、プラグコネクタの補強金具４の端面がロック方向を向くように、補強金具４の固定部４０をコネクタハウジング２に圧力を加えて押し込むことによってコネクタハウジング２に補強金具４を固定している。
【０００８】
また、特許文献２では、板状のロック部の端面がロック方向を向くように、その一部をハウジングにインサート成形することによりロック部をハウジングに固定している（特許文献２）。
【０００９】
さらに、特許文献３では、ロック金具を溶接によって補強金具に固定する構造が開示されている（特許文献３）。
【先行技術文献】
【特許文献】
【００１０】
【特許文献１】特開２００９−２５９６７５号公報
【特許文献２】特開２００４−５５４６４号公報
【特許文献３】特開２００８−５３１１９号公報
【発明の概要】
【発明が解決しようとする課題】
【００１１】
しかしながら、特許文献１のようなロック部材に圧力を加えて押し込むことによりハウジングに固定する構造では、ロック部材とハウジングの間に隙間ができるため、その隙間に相手側のロック部材が入り込むことによりハウジングを損傷させる恐れがあるという問題があった。
【００１２】
また、特許文献１のようなロック部材の端面をロック方向に向け、圧力を加えて押し込む構造では、ロック方向と押し込む方向が同じ方向になるため、ロック部とハウジングの間の接合強度が十分に確保できず、ロックを解除してコネクタを分離する際にロックの解除が完全でないとロック部材がハウジングから抜ける可能性があるという問題があった。
【００１３】
また、特許文献２記載のロック部の端面がロック方向を向くようにインサート成形する方法では、ロック部の係止面積を大きくするのが困難であるため、ロックの係止量がとれずロックが外れやすいという問題があった。
【００１４】
さらに、特許文献３記載の溶接による固定方法は、狭ピッチ化、小型化が進む現在の基板コネクタには適用困難であるという問題があった。
【００１５】
本発明は上記問題に鑑みてなされたものであり、その課題は、ハウジングとロック部の接合強度と、ロック強度を両立させることが可能で、かつ狭ピッチ化、小型化に対応可能なロック機構を備えたコネクタを提供することにある。
【課題を解決するための手段】
【００１６】
上記課題を解決するため、本発明の１つの態様によれば、ハウジングと、前記ハウジングに設けられ、他のコネクタと電気的に接続されるコンタクトと、前記ハウジングに設けられ、前記他のコネクタとの接続状態を保持するロック部と、を有し、前記ロック部は、平板状の形状を有し、前記平板の面の法線方向が前記他のコネクタとのロック方向を向くように設けられたロック板と、前記ロック板に設けられ、前記ハウジングと一体になるように形成された保持部と、を有することを特徴とするコネクタが得られる。
【００１７】
この態様においては、前記ハウジングに設けられ、少なくとも上面と側面の一部が開放された溝部を有し、前記ロック部は、前記ロック板が前記溝部の上面に配置されるように設けられ、前記保持部は、前記ロック板の互いに対向する側部に設けられた一対の部材であり、かつ前記ハウジングにインサート成形されていることが望ましい。
【００１８】
また、前記保持部は、前記ロック方向と交差する向きに形成された補強部を有することが望ましい。この場合、前記補強部は、前記溝部の開放された側面から前記側面の対向面に向けて突出した形状を有することが望ましいが、凹形状または凸形状を有する場合も可能である。
【００１９】
さらに、前記ロック部は、前記溝部の開放された側面側の端面の少なくとも表面側に面取部を有することが望ましい。
【００２０】
また、前記ロック部は、前記ロック部を接続対象物に接続する端子部を有することが望ましい。この場合、前記端子部は、前記ロック板に設けられた中間部と、前記中間部の端部に設けられ、前記接続対象物に接続される先端部と、を有し、前記中間部は前記ハウジングにインサート成形されていることが望ましい。
【００２１】
なお、前記端子部は、前記保持部を介して前記ロック板に設けることも可能である。
【００２２】
さらに、前記接続対象物は例えば基板である。
【発明の効果】
【００２３】
本発明によれば、ハウジングとロック部の接合強度と、ロック強度を両立させることが可能で、かつ狭ピッチ化、小型化に対応可能なロック機構を備えたコネクタを提供することができる。
【図面の簡単な説明】
【００２４】
【図１】本発明の第１の実施形態に係るコネクタユニット１００を用いて、フレキシブルプリント基板２０１とリジッド基板２０３を接続した状態を示す図である。
【図２】図１のＡ方向矢視図（側面図）である。
【図３】図１のフレキシブルプリント基板２０１を示す斜視図である。
【図４】図１のリジッド基板２０３を示す斜視図である。
【図５】プラグコネクタ１を示す斜視図である。
【図６】図５の平面図（上面図）である。
【図７】レセプタクルコネクタ３を示す斜視図である。
【図８】図７の平面図（上面図）である。
【図９】プラグコネクタ１とレセプタクルコネクタ３を組み合わせた状態を示す斜視図である。
【図１０】図９のＢ−Ｂ断面図である。
【図１１】プラグ側ロック部５ａを示す斜視図である。
【図１２】プラグ側ロック部５ａを示す平面図である。
【図１３】プラグ側ロック部５ａを示す正面図である。
【図１４】プラグ側ロック部５ａを示す側面図である。
【図１５】プラグコネクタ１とレセプタクルコネクタ３を組み合わせる際の手順を示す側面図である。
【図１６】プラグコネクタ１とレセプタクルコネクタ３を組み合わせる際の手順を示す側面図である。
【図１７】図１５のＤ−Ｄ断面図である。ただし、ここではレセプタクル側ロック部４１ａは弾性変形していない状態で示してある。
【図１８】図１６のＥ−Ｅ断面図である。ただし、ここではレセプタクル側ロック部４１ａは弾性変形していない状態で示してある。
【図１９】第１の実施形態の変形例１に係るプラグ側ロック部５ａ´を示す斜視図である。
【図２０】第１の実施形態の変形例２に係るプラグ側ロック部５ａ″を示す斜視図である。
【図２１】第２の実施形態に係るプラグコネクタ１ａを示す斜視図である。
【図２２】プラグコネクタ１ａのプラグ側ロック部５１ａを示す斜視図である。
【図２３】第３の実施形態に係るプラグコネクタ１ｂを示す斜視図である。
【図２４】プラグコネクタ１ｂのプラグ側ロック部５２ａを示す斜視図である。
【図２５】第４の実施形態に係るプラグ側ロック部５３ａを示す斜視図である。
【図２６】従来技術の基板コネクタのロック機構を示す断面図である。
【発明を実施するための形態】
【００２５】
以下、図面を参照して本発明に好適な実施形態について詳細に説明する。
【００２６】
まず、図１〜図８を参照して、本実施形態に係るコネクタユニット１００およびコネクタユニット１００を構成する各コネクタの概略について説明する。
【００２７】
ここではコネクタユニット１００として、基板コネクタのプラグコネクタ１とレセプタクルコネクタ３の組み合わせが例示されている。
【００２８】
図１および図２に示すように、コネクタユニット１００は、例えばフレキシブルプリント基板２０１（ＦＰＣ）とリジッド基板２０３を接続する基板コネクタであり、この例では図３および図４に示すように、フレキシブルプリント基板２０１上に設けられたコネクタであるプラグコネクタ１と、リジッド基板２０３上に設けられ、プラグコネクタ１と接続される他のコネクタであるレセプタクルコネクタ３を有している。
【００２９】
図５および図６に示すように、プラグコネクタ１は平面形状が長方形のハウジングであるプラグ側ハウジング５と、プラグ側ハウジング５の長手方向に所定のピッチで設けられたコンタクトであるプラグ側コンタクト７ａ、７ｂと、プラグ側ハウジング５の角部の４箇所に設けられ、プラグコネクタ１とレセプタクルコネクタ３の接続状態を保持するロック部であるプラグ側ロック部５ａ、５ｂ、５ｃ、５ｄを有している。
【００３０】
図７および図８に示すように、レセプタクルコネクタ３は、平面形状が長方形の厚板状のレセプタクル側ハウジング９と、レセプタクル側ハウジング９に保持され、プラグ側コンタクト７ａ、７ｂと接続されるレセプタクル側コンタクト１１ａ、１１ｂと、レセプタクル側ハウジング９の長手方向の両端に設けられ、ロックの際にプラグ側ロック部５ａ、５ｂ、５ｃ、５ｄと噛み合う１対のレセプタクル側ロック部４１ａ、４１ｂを有している。
【００３１】
次に、プラグコネクタ１の構造について、図５、図６および図９〜図１４を参照して、より詳細に説明する。
【００３２】
図５および図６に示すように、プラグコネクタ１のプラグ側ハウジング５は、互いに平行になるように設けられた一対の長板状の相手側嵌合部１５ａ、１５ｂと、相手側嵌合部１５ａ、１５ｂの端部間を連結するように設けられた連結部１５ｃ、１５ｄを有しており、相手側嵌合部１５ａ、１５ｂと連結部１５ｃ、１５ｄで平面形状が口の字形の形状を構成している。なお、図５および図６では、相手側嵌合部１５ａ、１５ｂは長方形の長辺に相当する部分であり、連結部１５ｃ、１５ｄは長方形の短辺に相当する部分である。
【００３３】
一方、図５、図６、図９および図１０に示すように、プラグ側ハウジング５は、連結部１５ｃ、１５ｄに形成され、上面と側面の一部が開放された溝部１７ａ、１７ｂ、１７ｃ、１７ｄを有し、プラグ側ロック部５ａ、５ｂ、５ｃ、５ｄは溝部１７ａ、１７ｂ、１７ｃ、１７ｄの上面に設けられている。
【００３４】
ここでは、溝部１７ａ、１７ｂ、１７ｃ、１７ｄは相手側嵌合部１５ａ、１５ｂの外側の両端の一部が開放されていることにより形成されている。
【００３５】
図１１〜図１４に示すように、プラグ側ロック部５ａは、溝部１７ａの上面に設けられた平板状のロック板１９と、ロック板１９に設けられ、プラグ側ハウジング５と一体になるように形成された一対の保持部２１ａ、２１ｂを有している。
【００３６】
ロック板１９は、平板の面の法線方向が、プラグコネクタ１とレセプタクルコネクタ３のロック方向Ｈを向くようにプラグ側ハウジング５に設けられている。
【００３７】
一方、保持部２１ａ、２１ｂは、ロック板１９の互いに対向する側端面（側部）から下側に折れ曲がった板状の形状を有している。
【００３８】
また、保持部２１ａ、２１ｂは、プラグ側ハウジング５の内側寄りの端面に、ロック方向Ｈに交差する向き（図１１のＩ方向参照）に補強部であるロック板補強部２３ａ、２３ｂが設けられている。即ち、ロック板補強部２３ａ、２３ｂは、溝部１７ａ、１７ｂ、１７ｃ、１７ｄの開放された側面から、その側面の対向面に向けて突出して設けられている。なお、保持部２１ａ、２１ｂとロック板補強部２３ａ、２３ｂとで略Ｌ字状に形成されている。また、ロック板補強部２３ａ、２３ｂは、２３ａと２３ｂの内どちらか一方が形成されていれば良く、両方を形成する必要性はない。
【００３９】
ロック板１９には、さらに、ロック板１９を接続対象物としてのフレキシブルプリント基板２０１に接続するための端子部２５が設けられている。端子部２５は、ロック板１９のプラグ側ハウジング５の内側寄りの後端面から下側に折り曲げられるように設けられ、プラグ側ハウジング５にインサート成形された板状の中間部２７と、中間部２７の端部から、ロック板１９と対向するように折り曲げられて形成され、フレキシブルプリント基板２０１にハンダ等で接続される板状の先端部２９を有している（図１４参照）。このように、ロック板１９の３方がインサート成形されているため、ハウジングとロック部の接合強度、及びロック強度がさらにＵＰする。
【００４０】
なお、図１３に示すように、ロック板１９の（溝部１７ａの）開放面側の端面は少なくとも表面（図１３では表裏両面）側に面取部３０を形成している。
【００４１】
また、プラグ側ロック部５ｂ、５ｃ、５ｄの構造はプラグ側ロック部５ａと同一形状であるため、説明を省略する。なお、ロック板補強部２３ａ、２３ｂは保持部２１ａ、２１ｂのそれぞれに設けられているが、どちらか一方の保持部２１ａ、２１ｂのみに形成されていても良い。この場合には、プラグ側ロック部５ａ、５ｂ、５ｃ、５ｄの各形状は同一の場合もあるし、異なる形状を呈する場合もある。
【００４２】
次に、レセプタクルコネクタ３の構造について、図７〜図１０を参照して、より詳細に説明する。
【００４３】
図７〜図１０に示すように、レセプタクルコネクタ３のレセプタクル側ハウジング９は、レセプタクル側コンタクト１１ａ、１１ｂのピッチ方向に長手方向を有し、対向する一対の第１側壁部３１ａ、３１ｂと、一対の第１側壁部３１ａ、３１ｂのそれぞれの端部間を連結し、対向する一対の第２側壁部３１ｃ、３１ｄとを有している。なお、ここでは、第１側壁部３１ａ、３１ｂは長方形の長辺に相当する部分であり、第２側壁部３１ｃ、３１ｄは長方形の短辺に相当する部分である。
【００４４】
図７に示すように、レセプタクル側ハウジング９の上面には、プラグコネクタ１の相手側嵌合部１５ａ、１５ｂが挿入される溝部３３ａ、３３ｂが、長方形の長辺に沿って設けられており、溝部３３ａ、３３ｂを跨ぐようにして、レセプタクル側コンタクト１１ａ、１１ｂが長手方向に所定のピッチで設けられている。
【００４５】
なお、溝部３３ａ、３３ｂの端部は長方形の短辺に沿って設けられた連結溝３５ａ、３５ｂによって連結され、全体として平面形状がプラグコネクタ１のプラグ側ハウジング５の口の字に対応した形となっており、中央部分はブロック状の凸部３７を形成している。
【００４６】
さらに、第２側壁部３１ｃ、３１ｄには板状のレセプタクル側ロック部４１ａ、４１ｂが設けられている。
【００４７】
図８に示すように、レセプタクル側ロック部４１ａ、４１ｂは平面形状がＣの字状の板状部材であり、Ｃの字の両端は連結溝３５ａ、３５ｂに露出するように設けられている。
【００４８】
また、Ｃの字の両端はプラグ側ロック部５ａ、５ｂ、およびプラグ側ロック部５ｃ、５ｄのロック板１９と係合する突起４３ａ、４３ｂおよび突起４３ｃ、４３ｄを有している（図１０参照）。
【００４９】
以上がプラグコネクタ１およびレセプタクルコネクタ３を構成する各部材の構造の説明である。
【００５０】
次に、コネクタユニット１００において、プラグコネクタ１とレセプタクルコネクタ３を組み合わせる際の手順について図１５〜図１８を参照して簡単に説明する。
【００５１】
まず、図１５および図１７に示すように、レセプタクルコネクタ３の溝部３３ａ、３３ｂとプラグコネクタ１の相手側嵌合部１５ａ、１５ｂの平面上の位置を合わせ、溝部３３ａ、３３ｂ内に相手側嵌合部１５ａ、１５ｂを挿入して行く（図５および図７参照）。
【００５２】
このとき、プラグ側ロック部５ａ、５ｂおよびプラグ側ロック部５ｃ、５ｄのロック板１９は、レセプタクルコネクタ３のレセプタクル側ロック部４１ａ、４１ｂのＣの字の先端に接触し、レセプタクル側ロック部４１ａ、４１ｂを押圧する。
【００５３】
これにより、レセプタクル側ロック部４１ａ、４１ｂはＣの字の両端が開く向きに弾性変形しつつ、突起４３ａ、４３ｂおよび突起４３ｃ、４３ｄがロック板１９の面取部３０にガイドされてこれを乗り越え、溝部１７ａ、１７ｂおよび溝部１７ｃ、１７ｄに達する。
【００５４】
図１６および図１８に示すように、突起４３ａ、４３ｂおよび突起４３ｃ、４３ｄが溝部１７ａ、１７ｂおよび溝部１７ｃ、１７ｄに達すると、最後に、レセプタクル側ロック部４１ａ、４１ｂは、元の形状（Ｃの字の両端が閉じる向き）に戻る方向に弾性変形し、ロックが完了する。
【００５５】
すると、プラグコネクタ１のプラグ側コンタクト７ａ、７ｂが、レセプタクルコネクタ３のレセプタクル側コンタクト１１ａ、１１ｂに挟み込まれるようにして両者が電気的に接続される。
【００５６】
ここで、ロック板１９に設けられた保持部２１ａ、２１ｂがインサート成形されているため、プラグ側ハウジング５との間に隙間は生じない。
【００５７】
そのため、組み合わせの際にレセプタクル側ロック部４１ａ、４１ｂがロック板１９とプラグ側ハウジング５の間に入り込んでプラグ側ハウジング５を損傷させる恐れはなく、また保持部２１ａ、２１ｂとプラグ側ハウジングとの接合強度も確保できる。
【００５８】
また、保持部２１ａ、２１ｂにはロック板補強部２３ａ、２３ｂが補強部としてロック方向Ｈに対して交差するように設けられており、プラグコネクタ１の抜差しの際には、ロックの際にロック板１９に加えられる力を分散させるため、保持部２１ａ、２１ｂの変形を防止でき、ロック部の接合強度をより高めることができる。
【００５９】
さらに、ロック板１９は面の法線方向がロック方向Ｈを向くように設けられており、即ちロック板１９の板厚方向でレセプタクル側ロック部４１ａ、４１ｂを係止するため、端面がロック方向Ｈを向いている構造と比較してロック板１９のレセプタクル側ロック部４１ａ、４１ｂとの引っ掛かり量（係止量）を大きくでき、ロック強度を高めることができる。
【００６０】
また、ロック板１９は保持部２１ａ、２１ｂがインサート成形されているため、別途溶接等の接合は不要であり、プラグコネクタ１の狭ピッチ化、小型化に対応可能である。
【００６１】
即ち、プラグコネクタ１は、プラグ側ハウジング５とロック板１９の接合強度とロック強度を両立させることが可能で、かつ狭ピッチ化、小型化に対応可能なプラグ側ロック部５ａ、５ｂ、５ｃ、５ｄを備えている。
【００６２】
このように、第１の実施形態によれば、プラグコネクタ１は、プラグ側ハウジング５と、プラグ側ハウジング５に設けられ、レセプタクルコネクタ３と電気的に接続されるプラグ側コンタクト７ａ、７ｂと、プラグ側ハウジング５に設けられ、プラグ側コンタクト７ａ、７ｂの接続状態を保持するプラグ側ロック部５ａ、５ｂ、５ｃ、５ｄとを有し、プラグ側ロック部５ａ、５ｂ、５ｃ、５ｄは、平板状の形状を有し、平板の面の法線方向がレセプタクルコネクタ３とのロック方向Ｈを向くように設けられたロック板１９と、ロック板１９に設けられ、プラグ側ハウジング５と一体になるように形成された保持部２１ａ、２１ｂとを有する。
【００６３】
そのため、プラグコネクタ１は、プラグ側ハウジング５とロック板１９の接合強度と、ロック強度を両立させることが可能で、かつ狭ピッチ化、小型化に対応可能である。
【００６４】
次に、第１の実施形態の変形例１、２について、図１９および図２０を参照して説明する。
【００６５】
第１の実施形態の変形例１、２が第１の実施形態と相違する点は、ロック板補強部２３ａ、２３ｂを保持部２１ａ、２１ｂの表面に凹凸形状として形成したものである。
【００６６】
なお、第１の実施形態の変形例１、２において、第１の実施形態と同様の機能を果たす要素については同一の番号を付し、主に第１の実施形態と異なる部分について説明する。
【００６７】
図１９および図２０に示すように、第１の実施形態の変形例１、２に係るプラグコネクタ１ｃ（図示せず）は、プラグ側ロック部５ａ´、５ａ″のロック板補強部２３ａ´、２３ｂ´、２３ａ″、２３ｂ″が保持部２１ａ´、２１ｂ´、２１ａ″、２１ｂ″の端面ではなく表面に設けられており、形状は図１９が凹形状、図２０が凸形状となっている。
【００６８】
このように、ロック板補強部２３ａ´、２３ｂ´、２３ａ″、２３ｂ″の形状はロック方向に対して交差する方向（図１９および図２０ではＪ方向）に形成されたものであれば、その位置は第１の実施形態と同じ位置に限定されるものではなく、また形状も凹形状、凸形状のいずれでもよい。
【００６９】
なお、プラグ側ロック部５ｂ´、５ｃ´、５ｄ´、及び５ｂ″、５ｃ″、５ｄ″の構造はプラグ側ロック部５ａ´、５ａ″の構造と同一形状であり、レセプタクルコネクタ３の構造は第１の実施形態と同様であるため、説明を省略する。
【００７０】
このように、第１の実施形態の変形例１、２によれば、プラグコネクタ１ｃは、プラグ側ハウジング５と、プラグ側ハウジング５に設けられ、レセプタクルコネクタ３と電気的に接続されるプラグ側コンタクト７ａ、７ｂと、プラグ側ハウジング５に設けられ、プラグ側コンタクト７ａ、７ｂの接続状態を保持するプラグ側ロック部５ａ´、５ｂ´、５ｃ´、５ｄ´、及び５ａ″、５ｂ″、５ｃ″、５ｄ″とを有し、プラグ側ロック部５ａ´、５ｂ´、５ｃ´、５ｄ´、及び５ａ″、５ｂ″、５ｃ″、５ｄ″は、平板状の形状を有し、平板の面の法線方向がレセプタクルコネクタ３とのロック方向Ｈに向けて設けられたロック板１９と、ロック板１９に設けられ、プラグ側ハウジング５と一体になるように形成された保持部２１ａ´、２１ｂ´、２１ａ″、２１ｂ″とを有する。 
従って、第１の実施形態と同様の効果を奏する。
【００７１】
次に、第２の実施形態について、図２１および図２２を参照して説明する。
【００７２】
第２の実施形態が第１の実施形態と相違する点は、端子部２５ａを、保持部２１ａを介してロック板１９に設けたものである。
【００７３】
なお、第２の実施形態において、第１の実施形態と同様の機能を果たす要素については同一の番号を付し、主に第１の実施形態と異なる部分について説明する。
【００７４】
図２１および図２２に示すように、第２の実施形態に係るプラグコネクタ１ａは、プラグ側ロック部５１ａの端子部２５ａが、直接ロック板１９に設けられているのではなく、保持部２１ａ、２１ｂのうちの一方である保持部２１ａを介してロック板１９に設けられている。
【００７５】
このように、端子部２５ａは必ずしもロック板１９に直接設ける必要はない。
【００７６】
なお、プラグ側ロック部５１ｂ、５１ｃ、５１ｄの構造はプラグ側ロック部５１ａの構造と同様の機能を有するものであり、レセプタクルコネクタ３の構造は第１の実施形態と同様であるため、説明を省略する。なお、プラグ側ロック部の内、５１ａと５１ｄが、また５１ｂと５１ｃが同一形状であるが、プラグ側ロック部５１ａ、５１ｄの端子部２５ａ、２５ｄは保持部２１ａから形成され、プラグ側ロック部５１ｂ、５１ｃの端子部２５ｂ、２５ｃは保持部２１ｂから形成されていることが相違する。
【００７７】
このように、第２の実施形態によれば、プラグコネクタ１ａは、プラグ側ハウジング５と、プラグ側ハウジング５に設けられ、レセプタクルコネクタ３と電気的に接続されるプラグ側コンタクト７ａ、７ｂと、プラグ側ハウジング５に設けられ、プラグ側コンタクト７ａ、７ｂの接続状態を保持するプラグ側ロック部５１ａ、５１ｂ、５１ｃ、５１ｄとを有し、プラグ側ロック部５１ａ、５１ｂ、５１ｃ、５１ｄは、平板状の形状を有し、平板の面の法線方向がレセプタクルコネクタ３とのロック方向Ｈを向くように設けられたロック板１９と、ロック板１９に設けられ、プラグ側ハウジング５と一体になるように形成された保持部２１ａ、２１ｂとを有する。 
従って、第１の実施形態と同様の効果を奏する。
【００７８】
次に、第３の実施形態について、図２３および図２４を参照して説明する。
【００７９】
第３の実施形態が第１の実施形態と相違する点は、保持部２１ａ、２１ｂにロック板補強部２３ａ、２３ｂを設けない構造としたものである。
【００８０】
なお、第３の実施形態において、第１の実施形態と同様の機能を果たす要素については同一の番号を付し、主に第１の実施形態と異なる部分について説明する。
【００８１】
図２３および図２４に示すように、第３の実施形態に係るプラグコネクタ１ｂは、プラグ側ロック部５２ａの保持部２１ａ、２１ｂがロック板補強部２３ａ、２３ｂを有していない。
【００８２】
このように、保持部２１ａ、２１ｂと端子部２５のみでロック板１９を確実にプラグ側ハウジング５に保持できるのであれば、ロック板補強部２３ａ、２３ｂは必ずしも設ける必要はない。
【００８３】
なお、プラグ側ロック部５２ｂ、５２ｃ、５２ｄの構造はプラグ側ロック部５２ａと同一形状であり、レセプタクルコネクタ３の構造は第１の実施形態と同様であるため、説明を省略する。
【００８４】
このように、第３の実施形態によれば、プラグコネクタ１ｂは、プラグ側ハウジング５と、プラグ側ハウジング５に設けられ、レセプタクルコネクタ３と電気的に接続されるプラグ側コンタクト７ａ、７ｂと、プラグ側ハウジング５に設けられ、プラグ側コンタクト７ａ、７ｂの接続状態を保持するプラグ側ロック部５２ａ、５２ｂ、５２ｃ、５２ｄとを有し、プラグ側ロック部５２ａ、５２ｂ、５２ｃ、５２ｄは、平板状の形状を有し、平板の面の法線方向がレセプタクルコネクタ３とのロック方向Ｈを向くように設けられたロック板１９と、ロック板１９に設けられ、プラグ側ハウジング５と一体になるように形成された保持部２１ａ、２１ｂとを有する。 
従って、第１の実施形態と同様の効果を奏する。
【００８５】
次に、第４の実施形態について、図２５を参照して説明する。
【００８６】
第４の実施形態が第１の実施形態と相違する点は、ロック板１９にロック板補強部２３ａ、２３ｂおよび端子部２５を設けない構造としたものである。
【００８７】
なお、第４の実施形態において、第１の実施形態と同様の機能を果たす要素については同一の番号を付し、主に第１の実施形態と異なる部分について説明する。
【００８８】
図２５に示すように、第４の実施形態に係るプラグコネクタ１ｄ（図示せず）は、プラグ側ロック部５３ａのロック板１９にロック板補強部２３ａ、２３ｂおよび端子部２５が設けられておらず、保持部２１ａ、２１ｂのみが設けられている。
【００８９】
このように、保持部２１ａ、２１ｂのみでロック板１９を確実にプラグ側ハウジング５に保持できるのであれば、ロック板補強部２３ａ、２３ｂおよび端子部２５は必ずしも設ける必要はない。
【００９０】
なお、プラグ側ロック部５３ｂ、５３ｃ、５３ｄの構造はプラグ側ロック部５３ａと同一形状であり、プラグ側ハウジング５およびレセプタクルコネクタ３の構造は第１の実施形態と同様であるため、説明を省略する。
【００９１】
このように、第４の実施形態によれば、プラグコネクタ１ｄは、プラグ側ハウジング５と、プラグ側ハウジング５に設けられ、レセプタクルコネクタ３と電気的に接続されるプラグ側コンタクト７ａ、７ｂと、プラグ側ハウジング５に設けられ、プラグ側コンタクト７ａ、７ｂの接続状態を保持するプラグ側ロック部５３ａ、５３ｂ、５３ｃ、５３ｄとを有し、プラグ側ロック部５３ａ、５３ｂ、５３ｃ、５３ｄは、平板状の形状を有し、平板の面の法線方向がレセプタクルコネクタ３とのロック方向Ｈに向けて設けられたロック板１９と、ロック板１９に設けられ、プラグ側ハウジング５と一体になるように形成された保持部２１ａ、２１ｂとを有する。 
従って、第１の実施形態と同様の効果を奏する。
【００９２】
上述の各実施形態では、ロック板１９は平板形状であったが、上面または下面側が凸を呈するようにロック板１９は湾曲した形状であっても良い。
【００９３】
また、上述の各実施形態では、ロック板１９に設けられた保持部２１ａ、２１ｂをハウジングにインサート成形してロック部をハウジングに保持させたが、保持部２１ａ、２１ｂをハウジングに圧入することによってロック部をハウジングに保持させても良い。
【産業上の利用可能性】
【００９４】
以上、本発明を実施形態に基づいて説明したが、本発明は当該実施形態に限定されない。
【００９５】
当業者であれば、本発明の技術的範囲内において各種の変形例および改良例に想到するのは当然のことであり、これらも本発明の範囲に含まれるものと了解される。
【符号の説明】
【００９６】
１      プラグコネクタ
１ａ    プラグコネクタ
１ｂ    プラグコネクタ
１ｃ    プラグコネクタ（図示せず）
１ｄ    プラグコネクタ（図示せず）
３      レセプタクルコネクタ
５      プラグ側ハウジング
５ａ、５ｂ、５ｃ、５ｄ    プラグ側ロック部
５ａ´、５ｂ´、５ｃ´、５ｄ´    プラグ側ロック部
５ａ″、５ｂ″、５ｃ″、５ｄ″    プラグ側ロック部
７ａ、７ｂ    プラグ側コンタクト
９      レセプタクル側ハウジング
１１ａ、１１ｂ  レセプタクル側コンタクト
１５ａ、１５ｂ  相手側嵌合部
１５ｃ、１５ｄ  連結部
１７ａ、１７ｂ、１７ｃ、１７ｄ  溝部
１９    ロック板
２１ａ、２１ｂ  保持部
２１ａ´、２１ｂ´  保持部
２１ａ″、２１ｂ″  保持部
２３ａ´、２３ｂ´  ロック板補強部（補強部）
２３ａ″、２３ｂ″  ロック板補強部（補強部）
２５    端子部
２５ａ、２５ｂ、２５ｃ、２５ｄ  端子部
２７    中間部
２９    先端部
３０    面取部
３１ａ、３１ｂ  第１側壁部
３１ｃ、３１ｄ  第２側壁部
３３ａ、３３ｂ  溝部
３５ａ、３５ｂ  連結溝
３７    凸部
４１ａ、４１ｂ  レセプタクル側ロック部
４３ａ、４３ｂ、４３ｃ、４３ｄ  突起
５１ａ、５１ｂ、５１ｃ、５１ｄ  プラグ側ロック部
５２ａ、５２ｂ、５２ｃ、５２ｄ  プラグ側ロック部
５３ａ、５３ｂ、５３ｃ、５３ｄ  プラグ側ロック部
１００    コネクタユニット
２０１    フレキシブルプリント基板
２０３    リジッド基板
【図１】
0005732430.tif 000002
【図２】
0005732430.tif 000003
【図３】
0005732430.tif 000004
【図４】
0005732430.tif 000005
【図５】
0005732430.tif 000006
【図６】
0005732430.tif 000007
【図７】
0005732430.tif 000008
【図８】
0005732430.tif 000009
【図９】
0005732430.tif 000010
【図１０】
0005732430.tif 000011
【図１１】
0005732430.tif 000012
【図１２】
0005732430.tif 000013
【図１３】
0005732430.tif 000014
【図１４】
0005732430.tif 000015
【図１５】
0005732430.tif 000016
【図１６】
0005732430.tif 000017
【図１７】
0005732430.tif 000018
【図１８】
0005732430.tif 000019
【図１９】
0005732430.tif 000020
【図２０】
0005732430.tif 000021
【図２１】
0005732430.tif 000022
【図２２】
0005732430.tif 000023
【図２３】
0005732430.tif 000024
【図２４】
0005732430.tif 000025
【図２５】
0005732430.tif 000026
【図２６】
0005732430.tif 000027